(57)【要約】【課題】  充電可能な動作装置における動作の自由度を上げること。【解決手段】  メインスイッチ２１をオンにし（「電源ＳＷ」においてｏｎ）、二次電池２を電子スチルカメラ本体１に装着し、第２のＡＣアダプタ４を電子スチルカメラ本体１に装着し、アクセサリは装着していない（「本体のみ」）場合、電子スチルカメラ本体１におけるカメラ動作（撮像にかかる動作）は行い、二次電池２の充電動作も行う。しかし第１のＡＣアダプタ３を用いた場合には、充電動作は行わない。【選択図】  図４
2005210842.tif 000002
【特許請求の範囲】
【請求項１】
着脱可能なＡＣアダプタ、二次電池のうち少なくとも１つから供給される電力でもって動作する動作装置であって、
前記ＡＣアダプタ、前記二次電池の着脱の状態を検知する検知手段と、
前記ＡＣアダプタが装着されている場合に、前記ＡＣアダプタの供給可能な電力量を求める電力量取得手段と、
前記検知手段が検知した前記ＡＣアダプタ、前記二次電池の着脱の状態、及び前記電力量取得手段が求めた前記ＡＣアダプタの供給可能な電力量で規定される条件に応じた動作を行う処理手段と
を備えることを特徴とする動作装置。
【請求項２】
前記処理手段は更に、前記ＡＣアダプタ、前記二次電池のうち少なくとも１つから供給される電力の前記動作装置への供給のオン／オフに応じた動作を行うことを特徴とする請求項１に記載の動作装置。
【請求項３】
前記処理手段は、前記ＡＣアダプタ、前記二次電池ともに前記動作装置に装着されている場合に、
前記二次電池の電池残量を求める電池残量取得手段と、
前記動作装置が使用している電力の平均量を求める平均量取得手段と、
前記電池残量が所定値以下である場合、前記平均量取得手段が得た平均量と、前記電力量取得手段が求めた電力量との差分に基づいて、第１の電力量でもって充電する第１のモードと、前記第１の電力量よりも少ない第２の電力量でもって充電する第２のモードの何れか１つを決定する決定手段と、
前記決定手段が決定したモードに応じて、前記二次電池の充電処理を、前記動作装置が行うべきその他の処理と並行して行う充電手段と
を備えることを特徴とする請求項１又は２に記載の動作装置。
【請求項４】
前記ＡＣアダプタは供給可能な電力量を示す情報を保持しており、前記電力量取得手段は、前記ＡＣアダプタから前記情報を取得し、解析することで、前記ＡＣアダプタの供給可能な電力量を求めることを特徴とする請求項１ないし３のいずれか１項に記載の動作装置。
【請求項５】
着脱可能なＡＣアダプタ、二次電池のうち少なくとも１つから供給される電力でもって動作する動作装置の制御方法であって、
前記ＡＣアダプタ、前記二次電池の着脱の状態を検知する検知工程と、
前記ＡＣアダプタが装着されている場合に、前記ＡＣアダプタの供給可能な電力量を求める電力量取得工程と、
前記検知工程で検知した前記ＡＣアダプタ、前記二次電池の着脱の状態、及び前記電力量取得工程で求めた前記ＡＣアダプタの供給可能な電力量で規定される条件に応じた動作を行う処理工程と
を備えることを特徴とする動作装置の制御方法。
【発明の詳細な説明】
【技術分野】
【０００１】
本発明は、着脱可能なＡＣアダプタ、二次電池のうち少なくとも１つから供給される電力でもって動作するための技術に関するものである。
【背景技術】
【０００２】
従来、電子スチルカメラやビデオカメラでは、本体の消費電力が比較的大きい為、充電可能な２次電池を使用する電源システムを構成する事が一般に行われている。
【０００３】
このシステムでは、２次電池の充電の為に、機器と独立した充電器を設定する場合と、機器内に充電回路を内蔵する場合、またその双方をシステムとして用意する場合がある。
【０００４】
本体内充電システムを取った場合、充電の為に専用の充電器を用意する必要が無く、最小限のACアダプタのみで充電が可能となるので、最小限のシステムを取ることが可能で省コストと小型化が達成される。
【０００５】
例えば特許文献１では、本体内充電可能なビデオカメラシステムで、外付けACアダプターをインターフェースボックスを介したり、カメラ側に直結したりする事が可能なポータブル映像機器駆動システムが開示されている。
【０００６】
また例えば特許文献２では、本体に外部機器を接続した場合、外部電源が本体に装着された場合に外部機器の動作を可能とする電子カメラの給電システムが開示されている。
【０００７】
また特許文献３では、太陽電池と２次電池が接続され、太陽電池の出力に応じて充電電流を変化させるカプラー装置が開示されている。
【特許文献１】特許登録第２６４０１８０号公報
【特許文献２】特許登録第３１４３１０６号公報
【特許文献３】特開２０００−２７０４９６号公報
【発明の開示】
【発明が解決しようとする課題】
【０００８】
本体内充電システムをとった場合、機器動作と充電の同時動作を可能とするか否かは、システムの電源回路やACアダプタの電流容量等で設計段階で決定されていた。
【０００９】
つまり、システムのコンパクト性とローコスト性を追求した場合、機器動作と充電動作は排他的におこなう事が望ましい。排他動作の場合には、ACアダプターから供給可能な電流容量は機器動作と充電動作のどちらか大きい側をカバーすれば良く、電源回路と充電回路も独立して設ける必要がない。この為、システムのコンパクト性とローコスト性が得られる。
【００１０】
これに対し、ACアダプタに十分な電流余裕を持たせ、電源回路と充電回路を並列動作可能な構成としておけば、機器動作を充電動作の並列動作が可能となる。この構成をとつておけば、機器を使用しながら充電する事が出来るので、特に充電時間を気にする必要無しに機器を扱うことが出来る。しかしながら、システムのコンパクト性やローコスト性は犠牲になってしまう。
【００１１】
上述の様に従来の電源システムでは、１つの製品を見たとき、メーカーが決定した組み合わせでしか使用する事が出来ないので、ユーザーニーズに応じて、コンパクト性を優先したり機能性を優先したりする事ができなかった。
【００１２】
本発明は、充電可能な動作装置における動作の自由度を上げるための技術を提供する事を目的とする。
【課題を解決するための手段】
【００１３】
本発明の目的を達成するために、例えば本発明の動作装置は以下の構成を備える。
【００１４】
即ち、着脱可能なＡＣアダプタ、二次電池のうち少なくとも１つから供給される電力でもって動作する動作装置であって、
前記ＡＣアダプタ、前記二次電池の着脱の状態を検知する検知手段と、
前記ＡＣアダプタが装着されている場合に、前記ＡＣアダプタの供給可能な電力量を求める電力量取得手段と、
前記検知手段が検知した前記ＡＣアダプタ、前記二次電池の着脱の状態、及び前記電力量取得手段が求めた前記ＡＣアダプタの供給可能な電力量で規定される条件に応じた動作を行う処理手段と
を備えることを特徴とする。
【００１５】
本発明の目的を達成するために、例えば本発明の動作装置の制御方法は以下の構成を備える。
【００１６】
即ち、着脱可能なＡＣアダプタ、二次電池のうち少なくとも１つから供給される電力でもって動作する動作装置の制御方法であって、
前記ＡＣアダプタ、前記二次電池の着脱の状態を検知する検知工程と、
前記ＡＣアダプタが装着されている場合に、前記ＡＣアダプタの供給可能な電力量を求める電力量取得工程と、
前記検知工程で検知した前記ＡＣアダプタ、前記二次電池の着脱の状態、及び前記電力量取得工程で求めた前記ＡＣアダプタの供給可能な電力量で規定される条件に応じた動作を行う処理工程と
を備えることを特徴とする。
【発明の効果】
【００１７】
本発明の構成により、充電可能な動作装置における動作の自由度を上げることができる。
【発明を実施するための最良の形態】
【００１８】
以下添付図面を参照して、本発明を公的な実施形態に従って詳細に説明する。
【００１９】
［第１の実施形態］
図１は、本実施形態にかかる電子スチルカメラの基本構成を示すブロック図である。
【００２０】
同図において１は電子スチルカメラ本体、２は電子スチルカメラ本体１に脱着可能な二次電池である。この二次電池２は、電子スチルカメラに電力を供給するためのものとして機能するとともに、充電の対象となる。この充電処理はそのほかの処理と並行して行われる。この充電処理について詳しくは後述する。
【００２１】
３は第１のＡＣアダプタ、４は第２のＡＣアダプタ、５は第３のＡＣアダプタである。これらの３つのＡＣアダプタのうち、第１のＡＣアダプタ３は最も電源容量が少ないが最も小型である。第３のＡＣアダプタ５は最も電源容量が多いが最も大型である。第２のＡＣアダプタ４は中間の電源容量と中間の大きさである。またこれらのＡＣアダプタは電子スチルカメラ本体１に着脱可能なものであり、電子スチルカメラに電力を供給するためのものである。
【００２２】
６は電子スチルカメラ本体１に脱着可能なアクセサリ（外部装置）である大型液晶パネルで、ファインダー像や撮影済み画像の確認、メニュー設定等に用いることが可能である。
【００２３】
電子スチルカメラ本体１には、レンズ１１、撮像素子１２、画像処理部１３、記憶部１４、電源回路１５、コントロール回路１６が含まれている。１７は電源端子、１８は識別端子である。１９はアクセサリ用電源出力端子、２０はアクセサリと信号の授受を行う信号端子である。
【００２４】
また、各ＡＣアダプタには電子スチルカメラ本体１の電源端子１７に接続する為の電源出力端子３ａ、４ａ、５ａと、識別端子１８に接続する為の識別信号出力端子３ｂ、４ｂ、５ｂが備わっている。
【００２５】
すなわち、例えば第１のＡＣアダプタ３を電子スチルカメラ本体１に接続すると、電源端子１７と電源出力端子３ａとが接続され、識別端子１８と識別信号出力端子３ｂとが接続される。これにより、第１のＡＣアダプタ３から供給される電力は、電源出力端子３ａ、電源端子１７を介して電源回路１５に供給され、第１のＡＣアダプタ３が保持する後述の識別コードは、識別信号出力端子３ｂ、識別端子１８を介してコントロール回路１６に供給される。これは第２のＡＣアダプタ４、第３のＡＣアダプタ５についても同じである。
【００２６】
また、各ＡＣアダプタ（第１ないし３のＡＣアダプタ３，４，５）は、それぞれ独立した識別コードを内部に保持している。この識別コードにより、各ＡＣアダプタの供給可能電力が電子スチルカメラ本体１に分かるようになっている。
【００２７】
識別コードには、ＡＣアダプタの供給電圧、供給可能電流、許容ピーク電流の各項目を示す情報が含まれており、識別コードを解析するとＡＣアダプタの供給電圧、供給可能電流、許容ピーク電流を取得する事が可能となっている。
【００２８】
識別コードをＡＣアダプタの種別のみを示す簡易なコードにすることも可能であるが、簡易コード化すると、想定されるＡＣアダプタの内容を全て電子スチルカメラ本体１側で管理する必要があり、例えば電子スチルカメラ本体１に登録されていない新規のＡＣアダプタを使用する場合には対応できない。このように、簡易コード化すると、システム全体の自由度が低くなるので、本実施形態では識別コード自体にＡＣアダプタの諸元を組み込む手法をとっている。
【００２９】
２１は電子スチルカメラ本体１のメインスイッチ、２２はレリーズ釦、４０はシャッター速度設定部、４１は絞り値設定部、４２は撮影モード設定部である。２３は外部表示部材である。外部表示部材２３は反射型の液晶パネルである。２９はシャッターである。３０は電磁駆動絞りである。３１はレンズ駆動部で、レンズ１１のフォーカス位置調整を行なう。３２はクイックリターンミラー、３３はピント板、３４はペンタプリズム、３５はファインダーレンズである。本実施形態では、クイックリターンミラー３２、ピント板３３，ペンタプリズム３４，ファインダーレンズ３５で構成される光学式のファインダーを有している。３６はサブミラー、３７は位相差ＡＦユニットである。３８は測光センサーである。
【００３０】
なお、電子スチルカメラにおける撮像系を構成する各部の構成については、上記構成に限定するものではない。
【００３１】
図２、３は、外部表示部材２３における各種の表示例を示す図である。同図に示されている様に、外部表示部材２３における表示内容は、シャッター速度表示２４、絞り値表示２５、残り撮影枚数表示２６、電池残量表示２７、充電状態表示２８、撮影モード表示３９である。
【００３２】
充電状態表示２８は、充電中は点滅し、充電完了時は点灯、充電不能時は図３の２８ｂに示したような表示となり、且つ消灯状態にもなる。消灯する時は、二次電池のみ接続されている時、もしくはＡＣアダプタのみ接続されている時（すなわち二次電池、ＡＣアダプタのいずれか一方のみが接続されている時）である。
【００３３】
電池残量表示２７は二次電池の電池残量に応じて内側のバー長さが変化する。図３において２７ｂで示す表示は、電池残量がかなり減った状態を示している。
【００３４】
撮影モード表示３９は、Ｐ（プログラム）、Ｔｖ（シャッター優先）、Ａｖ（絞り優先）、Ｍ（マニュアル）の何れか１つが表示されるが、図２，３では便宜的に全てが表示された状態で示している。
【００３５】
なお、外部表示部材２３における表示はこれに限定するものではない。
【００３６】
図４は、様々な状態において、電子スチルカメラ本体１の動作（コントロール回路１６の制御による動作）を記述したテーブルの構成例を示す図である。
【００３７】
メインスイッチ２１がオフの場合は、必ず本体内充電を許可している。図４に示しているように、本実施形態にかかる電子スチルカメラの特徴は、メインスイッチ２１のオン／オフ状態、電子スチルカメラ本体１への二次電池２、ＡＣアダプタ３，４，５の着脱状態、電子スチルカメラ本体１へのアクセサリの着脱状態等に応じて、二次電池２の充電動作、電子スチルカメラ本体１の動作、アクセサリの動作を制御することにある。
【００３８】
例えばメインスイッチ２１をオンにし（「電源ＳＷ」においてｏｎ）、二次電池２を電子スチルカメラ本体１に装着し、第２のＡＣアダプタ４を電子スチルカメラ本体１に装着し、アクセサリは装着していない（「本体のみ」）場合、電子スチルカメラ本体１におけるカメラ動作（撮像にかかる動作）は行い、二次電池２の充電動作も行う。しかし第１のＡＣアダプタ３を用いた場合には、充電動作は行わない。
【００３９】
また例えばメインスイッチ２１をオンにし、二次電池２を電子スチルカメラ本体１に装着し、第２のＡＣアダプタ４を電子スチルカメラ本体１に装着し、アクセサリを装着している場合、電子スチルカメラ本体１におけるカメラ動作（撮像にかかる動作）は行い、アクセサリの動作も行い、二次電池２の充電動作は行わない。しかし第３のＡＣアダプタ５を用いた場合には、充電動作は行う。
【００４０】
このようにして、メインスイッチ２１のオン／オフ状態、電子スチルカメラ本体１への二次電池２、ＡＣアダプタ３，４，５の着脱状態、電子スチルカメラ本体１へのアクセサリの着脱状態等に応じて、二次電池２の充電動作、電子スチルカメラ本体１の動作、アクセサリの動作を制御する。なお、同図のテーブルは記憶部１４内にデータとして記憶されており、コントロール回路１６はこのテーブルデータを参照し、後述の処理により現状を鑑みて行うべき動作を決定し、実行する。
【００４１】
図５は、コントロール回路１６が電子スチルカメラ本体１を構成する各部を制御することによりなされる、二次電池２の充電処理のフローチャートである。なお、同図のフローチャートに従った処理（充電処理）は、後述するメインの処理と並行に行われているものである。
【００４２】
なお、二次電池２への充電はコントロール回路１６が電源回路１５を制御することにより、電源回路１５から供給される電力により行われる。
【００４３】
メインスイッチ２１のオン／オフに関わらず、電池残量のある二次電池２、もしくはＡＣ電源に接続されたＡＣアダプタ（第１ないし３のＡＣアダプタのいずれか１つ）が電子スチルカメラ本体１に装着されると、電子スチルカメラ本体１は起動する。
【００４４】
まず各ポート、記憶部１４内の作業領域等を初期化する（ステップＳ１０１）。次に、現在電子スチルカメラ本体１に接続されている電源を検知し、接続されている電源を示す情報を記憶部１４内の作業領域中に記憶する（ステップＳ１０２）。次に、後述するメインの処理により通知される、電子スチルカメラの動作状態に応じた消費電力量の平均量、及びピーク電流値を取得し、記憶部１４内の作業領域中に記憶する（ステップＳ１０３）。この取得した電力量の平均量は、電子スチルカメラ本体１に装着されているアクセサリを含む全体（電子スチルカメラ）で使用されている電力量の平均量である。
【００４５】
また、メインスイッチ２１がオフである場合には、ステップＳ１０３で取得する電力量の平均量は、最低限のバックアップの為の電力量である。
【００４６】
次に、電子スチルカメラ本体１に、ＡＣアダプタ（第１ないし３のＡＣアダプタのいずれか１つ）又は二次電池２のいずれか一方のみが装着されていると、ステップＳ１０２で確認した場合、外部表示部材２３における充電表示を消して処理をステップＳ１０２に戻す。
【００４７】
一方、電子スチルカメラ本体１に、ＡＣアダプタ（第１ないし３のＡＣアダプタのいずれか１つ）及び二次電池２が装着されていると、ステップＳ１０２で確認した場合、処理をステップＳ１０５に進め、二次電池２の電池残量を確認し、電池残量が所定量以下、すなわち、充電が必要であれば処理をステップＳ１０６に進め、充電が不必要（電池残量が所定量以上）であれば外部表示部材２３に満充電表示を行い、処理をステップＳ１０２に戻す。
【００４８】
二次電池２の充電が必要であれば、先ず、ＡＣアダプタから得られる識別コードに含められている「ＡＣアダプタの供給可能電力量」を、この識別コードを解析することにより取得する。そして、取得した「ＡＣアダプタの供給可能電力量」と、ステップＳ１０３で記憶部１４内の作業領域中に記憶した平均量との差分、すなわち、「ＡＣアダプタの供給可能電力量」から電子スチルカメラの動作状態に応じた消費電力量の平均量を引いた結果を、充電に使用可能な電力量として求める（ステップＳ１０６）。
【００４９】
そして求めた充電に使用可能な電力量が所定量（最低充電電力量）以上であるか否かを判断し、充電に使用可能な電力量が所定量（最低充電電力量）以下であれば、外部表示部材２３における充電不能表示を行い、処理をステップＳ１０２に戻す。
【００５０】
一方で、充電に使用可能な電力量が所定量（最低充電電力量）以上である場合には処理をステップＳ１０８に進め、充電モードを決定する（ステップＳ１０８）。本実施形態では充電モードとして、急速充電モード、省電力充電モードがあり、ステップＳ１０８ではそのずれか一方に決める。急速充電モードは大電力を消費するが充電時間が短い。省電力充電モードは電力消費が少ないが充電時間が長い。
【００５１】
本実施形態では、ステップＳ１０８では、充電に使用可能な電力量が所定量（最低充電電力量以上の適当な電力量）以上である場合には、使用可能な電力量が多いのであるから、急速充電モードを充電モードとして決定する。逆に、充電に使用可能な電力量が所定量（最低充電電力量以上の適当な電力量）以下である場合には、使用可能な電力量が少ないのであるから、省電力充電モードを充電モードとして決定する。
【００５２】
なお、充電モードの種類、及び数はこれに限定するものではないし、充電モードの決定方法についてもこれに限定するものではない。
【００５３】
次に、電子スチルカメラ側でピーク電流が発生する際に、二次電池２の充電を停止すると設定されている場合には、ステップＳ１０３で記憶部１４内の作業領域中に記憶したピーク電流値、ステップＳ１０６で求めた充電に使用可能な電力量、及びステップＳ１０６でＡＣアダプタから得られる識別コードに含められている「ＡＣアダプタの供給可能電力量」を用いて、ピーク時充電停止モードをセットする（ステップＳ１０９）。なお、このピーク時充電停止モードのセットについては、適宜省いても良い。
【００５４】
ここで、ピーク時充電停止モードのセットについて具体的に説明する。先ずピーク電流値と電圧から、電子スチルカメラ側で使用するピーク時電力が以下の式に従って算出される。
【００５５】
ピーク電流値×電圧＝ピーク時電力
この時、
ピーク時電力＞ＡＣアダプタの供給可能電力量
であれば、電子スチルカメラ側のピーク動作時に電力供給が不足し、電圧ドロップ等が予想されるため、ピーク時充電停止モードがセットされる。
【００５６】
そして外部表示部材２３に充電中表示を行う（ステップＳ１１０）。そして、ピーク時充電停止モードが設定されており、且つピーク電流が発生する事が予想される期間（後述するピーク電流予想期間フラグがセットされている場合）には、二次電池２の充電を行わないで処理をステップＳ１０２に戻し、以降の処理を繰り返す。
【００５７】
一方、ピーク時充電停止モードが設定されており、且つピーク電流が発生する事が予想される期間ではない場合（後述するピーク電流予想期間フラグがリセットされている場合）、もしくはピーク時充電停止モードが設定されていない場合には、処理をステップＳ１１２に進め、二次電池２の充電を行う。
【００５８】
以上の処理により、充電に使用可能な電力量に応じた充電方法でもって二次電池２の充電を行うことができる。よって以上の説明から、より多い電力量を供給可能なＡＣアダプタを電子スチルカメラ本体１に装着していれば、充電に使用可能な電力量をより多くすることができるし、より少ない電力量を供給可能なＡＣアダプタを電子スチルカメラ本体１に装着していれば、充電に使用可能な電力量はより少ない。
【００５９】
次に、上記充電処理と並行して行われているメイン処理について、同処理のフローチャートを示す図６，７を参照し、以下説明する。なお、このメイン処理についてもコントロール回路１６により電子スチルカメラ本体１を構成する各部を制御することにより実行される。
【００６０】
メイン処理では、電子スチルカメラ本体１全体の消費電力量を算出すると共に、電子スチルカメラ本体１の動作に伴って発生するラッシュ電流（例えばモーターのラッシュ電流）の発生を予測し、発生する可能性のある期間ピーク電流予想期間フラグのセットとリセットを行っている。このセット・リセットにより、上記ステップＳ１１１における処理がなされる。
【００６１】
メインスイッチ２１をオンにすると、電子スチルカメラ本体１は起動する。起動すると、コントロール回路１６は、電子スチルカメラ本体１に装着されている機器を確認する（ステップＳ２０１）。例えばアクセサリやＡＣアダプタ、二次電池２の何れが装着されているのかを確認する。自身に装着されている機器を確認する技術については周知の技術であるので、ここでの説明は省略するが、装着されていると確認した機器を特定する情報は、記憶部１４内の作業領域中に記憶する。
【００６２】
そして次に、記憶部１４内の作業領域中に、電子スチルカメラで使用している電力がスタンバイ電力であることを示す情報を格納する（ステップＳ２０２）。この情報は、ステップＳ１０３で読み出し解析することで、電子スチルカメラで消費している電力量を取得することができるための情報である。
【００６３】
次に、電子スチルカメラ本体１を構成する各部に電源を投入し、全体の初期化を行う（ステップＳ２０３）。次に、レンズ１１の電磁駆動絞り３０を全開に駆動する（ステップＳ２０４）。次に、撮影モードをバックアップメモリ（記憶部１４内）に記憶されていた設定値にセットする（ステップＳ２０５）。バックアップメモリに値が入っていない時には、初期値にセットする。
【００６４】
そして、記憶部１４内の空き容量を確認し、残り撮影可能枚数を算出する（ステップＳ２０６）。そして外部表示部材23に撮影モード、残り撮影枚数と撮影モードに応じた絞り値シャッター速度を表示する（ステップＳ２０７）。撮影モードがプログラムであれば、絞り値とシャッター速度は表示されない。また、シャッター優先であればシャッター速度が表示される。また、絞り優先であれば絞り値が表示される。また、マニュアルであればシャッター速度と絞り値が表示される。
【００６５】
そしてメインスイッチ２１、外部操作部材22のいずれかが操作されたことをコントロール回路１６が検知すると、ステップＳ２０８以降の処理を行う。
【００６６】
より具体的には、外部操作部材22が操作された場合には処理はステップＳ２０９を介してステップＳ２１３に進む。一方、メインスイッチ２１が操作された時（オフになった時）には処理をステップＳ２１０に進め、電子スチルカメラ本体１を構成する各階路の終了処理を行い（ステップＳ２１０）、記憶部１４内の作業領域中に、電子スチルカメラ本体１で使用している電力がスリープ電力であることを示す情報を格納する（ステップＳ２１１）。この情報は、ステップＳ１０３で読み出し解析することで、電子スチルカメラ本体１で消費している電力量を取得することができるための情報である。スリープ電力は、設定情報等をバックアップする為のバックアップ等に使われる。そして、電源の遮断処理を行い、電子スチルカメラ本体１の動作を終了する（ステップＳ２１２）。
【００６７】
一方、ステップＳ２０８で、外部表示部材２３が操作された場合には処理をステップＳ２０９を介してステップＳ２１３に進め、どのような操作が入力されたのかを検知する（ステップＳ２１３）。入力された操作の種別を検知するのは周知の技術であるので、これについての説明は省略する。
【００６８】
外部表示部材２３においてシャッター速度設定部４０が操作された場合には、処理をステップＳ２１４からステップＳ２１８に進め、撮影モードを判定し、撮影モードがシャッター速度優先かマニュアルであれば処理をステップＳ２１９に進め、シャッター速度を指示された入力に基づいて更新する（ステップＳ２１９）。一方、撮影モードがそれ以外のモードの場合には、シャッター速度は独立して変更できないので処理をステップＳ２０７に進める。
【００６９】
また、絞り値設定部４１が操作された場合には、処理をステップＳ２１５からステップＳ２２０に進め、撮影モードを判定し、撮影モードが絞り優先かマニュアルであれば処理をステップＳ２１に進め、絞り値を指示された入力に基づいて更新する（ステップＳ２２１）。一方、撮影モードがそれ以外の場合には、絞り値は独立して変更できないので処理をステップＳ２０７に進める。
【００７０】
また撮影モード設定部４２が操作された場合には処理をステップＳ２１６からステップＳ２１７に進め、撮影モードを指示された入力に基づいて更新し、処理をステップＳ２０７に進める。
【００７１】
またレリーズ釦２２が操作された場合には、処理をステップＳ２１６からステップＳ２２２に進め、位相差ＡＦユニット３７から信号を取り出し、デフォーカス量を演算する（ステップＳ２２２）。
【００７２】
そしてステップＳ２２２で演算したデフォーカス量を判定し、許容デフォーカス量以下であれば処理をステップＳ２２８に進め、許容デフォーカス量以上であれば処理をステップＳ２２４に進める。
【００７３】
ステップＳ２２４では、デフォーカス量から所定の計算によりレンズ１１のフォーカス調整量を得、ステップＳ２２５ではピーク電流予想期間フラグをセットする。フラグのセット／リセットはステップＳ１１１で参照されるもので、これによりステップＳ１１１では、ピーク電流が発生する事が予想される期間であるか否かを判断することができる。
【００７４】
次に、レンズ駆動部３１を、ステップＳ２２４で得られたフォーカス調整量に基づいて制御し、レンズ１１を駆動する（ステップＳ２２６）。そして駆動終了後、ピーク電流予想期間フラグをリセットする（ステップＳ２２７）。
【００７５】
ステップＳ２２８では、撮影モードを判定し、撮影モードがマニュアルであれば処理をステップＳ２３１に進める。一方、マニュアルではない場合には処理をステップＳ２２９に進め、測光センサー３８から得られる信号から測光値を得（ステップＳ２２９）、撮影モードに応じて、適正露光が得られる様に、シャッター速度と絞り値を決定し（ステップＳ２３０）、ピーク電流予想期間フラグをセットする（ステップＳ２３１）。
【００７６】
そしてクイックリターンミラー３２、サブミラー３６を退避し（ステップＳ２３２）、電磁駆動絞り３０を前に決定した絞り値に絞り込み（ステップＳ２３３）、撮像素子１２の電荷をリセットする（ステップＳ２３４）。
【００７７】
そしてシャッター２９を前に決定したシャッター速度で走行させ、撮像素子１２に露光を行い（ステップＳ２３５）、電磁駆動絞り３０を開放に戻し（ステップＳ２３６）、クイックリターンミラー３２、サブミラー３６をファインダー観察状態に戻し（ステップＳ２３７）、ピーク電流予想期間フラグをリセットする（ステップＳ２３８）。
【００７８】
そして撮像素子１２から像信号を読み出し、画像処理部１３で所定の画像処理を行い、画像データを生成し（ステップＳ２３９）、生成した画像データを記憶部１４内の所定のエリアに記憶する（ステップＳ２４０）。
【００７９】
次に、大型液晶パネル６が装着されているか否かを判断し（ステップＳ２４１）、装着されている場合には処理をステップＳ２４２に進め、大型液晶パネル６に撮影された画像を一定時間表示する。
【００８０】
上記説明に示されている様に、本実施形態によれば、全体システムの消費電力と共にラッシュ電流も加味し、接続したACアダプターの能力を有効利用して全体システムの動作と2次電池の充電動作の制御を行っている。
【００８１】
また本実施形態によれば、ACアダプタの供給可能電力と共に許容ピーク電流も含めたACアダプタの性能を独立信号端子を用いて細かく電源システム側に伝える事が可能となり、効率的な動作を可能としている。
【００８２】
［第２の実施形態］
電子スチルカメラ本体に装着されているＡＣアダプタを識別する場合、第１の実施形態では、ＡＣアダプタから得られる識別コードを用いていた。本実施形態では、ＡＣアダプタのコネクタ（電子スチルカメラ本体と接続するための）の形状により識別する。
【００８３】
図８はＡＣアダプタの種別検出を、ＡＣアダプタと電子スチルカメラ本体を結合するコネクタの形状により行う為のコネクタ形状を示す図である。
【００８４】
図８（ａ）は小容量ＡＣアダプタ（第１の実施形態では第１のＡＣアダプタに相当）、図８（ｂ）は中容量ＡＣアダプタ（第１の実施形態では第２のＡＣアダプタに相当）、図８（ｃ）は大容量ＡＣアダプタ（第１の実施形態では第３のＡＣアダプタに相当）のそれぞれのコネクタ形状を示している。
【００８５】
それぞれのＡＣアダプタは同図に示すように、切り欠き形状がそれぞれ異なっており、電子スチルカメラ本体側でこの切り欠き形状を検出する事で、電子スチルカメラ本体に接続されたＡＣアダプタを識別することができる。
【００８６】
その場合、当然電子スチルカメラ本体側には（厳密には記憶部１４内には）、切り欠き形状に対応したＡＣアダプタの諸元をデータとして保持している。すなわち、ＡＣアダプタごとに、ＡＣアダプタに関する情報（例えば上記識別コード）と切り欠き形状を示す情報とを関連づけて記憶部１４に保持している。
【００８７】
このようにすることで、検出した切り欠き形状に対応するＡＣアダプタを上記関連づけを参照することにより識別することができ、識別したＡＣアダプタの識別コードを電子スチルカメラ本体側で取得することができる。
【００８８】
また、上述のように、ＡＣアダプタの切り欠き形状でもって、電子スチルカメラ本体に装着されているＡＣアダプタを識別する場合であっても、電子スチルカメラが行う処理については、装着されているＡＣアダプタを識別する方法が異なるのみで、それ以外は第１の実施形態と同じである。
【００８９】
以上説明したように、本実施形態によれば、電子スチルカメラ本体に装着されているＡＣアダプタを電子スチルカメラに識別させるために、ＡＣアダプタ側に独立した回路を設ける必要が無く、ＡＣアダプタ側のコストダウンと小型化が可能になる。
【００９０】
［第３の実施形態］
電子スチルカメラ本体に装着されているＡＣアダプタの識別方法として、ＡＣアダプタから供給される電圧により判別しても良い。
【００９１】
その場合、電源回路１５に電圧検知回路を設け、さらにＡＣアダプタごとに、ＡＣアダプタに関する情報（例えば上記識別コード）とＡＣアダプタの供給電圧を示す情報とを関連づけて記憶部１４に保持する。これにより、この関連づけを参照することで、電圧検知回路により検知した電圧に対応するＡＣアダプタの識別コードを取得することができ、電子スチルカメラ本体に装着されているＡＣアダプタを識別することができる。
【００９２】
なお、ＡＣアダプタから供給される電圧でもって、電子スチルカメラ本体に装着されているＡＣアダプタを識別する場合であっても、電子スチルカメラが行う処理については、装着されているＡＣアダプタを識別する方法が異なるのみで、それ以外は第１の実施形態と同じである。
【００９３】
以上説明したように、本実施形態によれば、ＡＣアダプタと電子スチルカメラ本体の結合形態を最も単純化する事が可能になる。
【００９４】
なお、電子スチルカメラ本体に装着されているＡＣアダプタを識別する方法は、上記実施形態に限定されるものではなく、如何なる方法を用いても良い。
【図面の簡単な説明】
【００９５】
【図１】本発明の第１の実施形態にかかる電子スチルカメラの基本構成を示すブロック図である。
【図２】外部表示部材２３における各種の表示例を示す図である。
【図３】外部表示部材２３における各種の表示例を示す図である。
【図４】様々な状態において、電子スチルカメラ本体１の動作（コントロール回路１６の制御による動作）を記述したテーブルの構成例を示す図である。
【図５】コントロール回路１６が電子スチルカメラ本体１を構成する各部を制御することによりなされる、二次電池２の充電処理のフローチャートである。
【図６】充電処理と並行して行われているメイン処理のフローチャートである。
【図７】充電処理と並行して行われているメイン処理のフローチャートである。
【図８】ＡＣアダプタの種別検出を、ＡＣアダプタと電子スチルカメラ本体を結合するコネクタの形状により行う為のコネクタ形状を示す図である。
【図１】
2005210842.tif 000003
【図２】
2005210842.tif 000004
【図３】
2005210842.tif 000005
【図４】
2005210842.tif 000006
【図５】
2005210842.tif 000007
【図６】
2005210842.tif 000008
【図７】
2005210842.tif 000009
【図８】
2005210842.tif 000010